(57)【要約】      （修正有）【課題】介護を必要とする人が他人の助けを借りることなく、リモコン操作等によりベッドからでないでベッドの中に入ったままの状態で用便ができる介護用ベッドを提供する。【解決手段】自立できない人がベッドで用便して、ベッド下方の駆動装置でオゾン水を吹き掛け衛生的な回転ブラシを人体の排便部およびその付近に接触し回転させることで清掃を行い、上布団等を持ち上げることで清掃を被い隠したまま駆動装置でブラシを移動せしめることで介護する人の負担を軽減する。便器装置を床下に収納して部屋内部を清潔に保ち脱臭を行い、被介護者を出来るだけ動かさなく用便出来る装置付きベッドと装置と防水性のあるブラシ回転体と寝たままの状態で使用する便座を提供する。【選択図】図１
2005230411.tif 000002
【特許請求の範囲】
【請求項１】
ベッド内に用便用孔があり孔上部に仰向けになったままに寝られる便座が装着され、回転ブラシが、便座に寝た人体の排泄部に対向駆動するように設定されて、常時はベッド下面に埋没配置され駆動時上昇し清掃後下降し元に戻る駆動装置と、上布団等を昇降する装置を備え、上布団等と人体の両脚の空間を利用して、清掃することを特徴とする用便後処理装置付き介護ベッド。
【請求項２】
請求項１の用便後処理装置付き介護ベッドにおいて、被介護者の上布団等を持ち上げる昇降装置を具備し、回転ブラシをオゾン水で洗浄して回転しつつ、肛門近傍を回転ブラシに含んだオゾン水で洗浄、回転ブラシの毛で清掃する用便後処理装置。
【請求項３】
請求項１の用便後処理装置付き介護ベッドにおいて、回転ブラシの駆動モータを回転ブラシの中に収容し、人体の両脚の空間に入る防水性のあるブラシ回転体。
【請求項４】
用便後処理装置付き介護ベッドにおいて、被介護者（１００）の肛門より頭部までの姿勢を変えることなく用便するために、被介護者腰骨部（１０２）を便座に対して位置決め出来る腰当（２０２）が設置してあり、床ずれを防止しつつ、便座（２０１）に対して被介護者肛門（１０１）を位置決め出来る腰当（２０２）が設置してある仰向け寝姿適合便座。
【発明の詳細な説明】
【技術分野】
【０００１】
本発明は、病人や寝たきり老人等の介護を必要とする人が、介添え等の他人の助けを借りること無く、リモコン操作等により、ベッドから出ないで、ベッドの中に入ったままで用便がで出来る介護用ベッドに関するものである。
【背景技術】
【０００２】
病人や寝たきり老人等の身体の不自由な人が使用する従来の介護用ベッドには、ベッドの下に簡易浴槽やポータブルトイレを備えたものがあるが、この種従来ポータブルトイレは、ベッドとは別の独立した装置として形成されていて、そしてベッドに組立て格納されているに過ぎない構造のものが一般であり、使用に当たっては、介護者の手を借りて用便後の肛門を拭いてもらわなければならいものであったり、或いはベッドから一旦降りて使用しなければならない構造になっており、介護者の手を借りなければならない等の課題が有った。
【０００３】
しかし、介護者の手を煩わせることを少なくするに、シャワー洗浄等のものは、部屋の中で水を多量に使い、肛門近傍に強固に箇まり付いた排便は、洗浄が困難で介護者の目視確認が必要であるという欠点があった。
【特許文献１】特開２００３−１７５０８４号公報
【特許文献２】特開２００２−１９１６４７号公報
【特許文献３】特開平６−１２５９６５号公報
【発明の開示】
【発明が解決しようとする課題】
【０００４】
解決しようとする問題点は、ベッドの中に入ったままで用便が出来る介護ベッドにおいて、被介護人を出来るだけ動かさず、肛門近傍に強固に箇まり付いた排便の洗浄においての確実性であり介護者の目視を出来る限り少なくする。
【課題を解決するための手段】
【０００５】
本発明は、介護人の目視を出来る限り少なくするため、被介護人を出来るだけ動かさず寝たきりで用便後の排便処理をすることを最も主要な特徴とする。
【発明の効果】
【０００６】
本発明の用便後処理装置付き介護ベッドは、オゾン水を吹き掛けた回転ブラシを人体の排便部およびその付近に接触し回転させる前に、ブラシ洗浄することで清掃を行うブラシ表面は、清潔で脱臭されるよう構成しているので、清潔なブラシで、強固に箇まり付いた排便を、被介護人によりブラシの毛の材質を選定する事であたかも濡れ雑巾で拭くがごとく肌に優しく濡れブラシで除去が行える。
【０００７】
被介護人は、寝たままで足下の布団毛布等の寝具を持ち上げてブラシ洗浄するので、介護者の手を借りなくて用便及び用便後の肛門近傍部に付着した排便を人体より除去することが出来る。
【発明を実施するための最良の形態】
【０００８】
ベッドの中に入ったままで用便及び用便後の肛門近傍部に付着した排便を人体より除去する目的を、現状のベットの大きさを変えずに実現した。
【実施例１】
【０００９】
図１は、本発明装置の１実施例の断面図である。
【００１０】
図２は、本発明装置の１実施例の駆動系断面説明図であって、説明に不用なものを抹消し、操作の原点で待機位置を示し、ブラシ回転体位置１（３０１）の位置に図７で示す回転ブラシ（３３１）がある正面の説明図である。
【００１１】
図３は、図２と同様で、ブラシ回転体位置３（３０３）の位置に図７で示す回転ブラシ（３３１）がある正面の説明図である。
【００１２】
図４、図５は、図３と同様で、ブラシ回転体位置５（３０５）、ブラシ回転体位置７（３０７）の位置に図７で示す回転ブラシ（３３１）がある正面の説明図である。
【００１３】
図７にしめす回転ブラシ（３３１）は，回転カバー本体（３３４）に、被介護人（１００）によりブラシの毛の材質を選定して取り替え又は、新旧の取り替え補修の為、脱着自在に回転カバー蓋（３３３）により装着されて一体と成ってブラシ回転体を形成している、回転カバー本体（３３４）と回転カバー蓋（３３３）の内部には、回転モータ（３３２）とモータ台（３３６）が一体と成って固着挿入して有り、回転モータ（３３２）の片端が回転カバー蓋（３３３）に挿入連結し他端は連結竿（３３７）に組立自在に連結して回転カバー本体（３３４）との間に、防水軸受け（３３５）を設置する事により連結竿（３３７）を固定して回転ブラシ（３３１）は回転することが出来る。
【００１４】
図７にしめす連結竿（３３７）は、回転管（３４３）と一体に形成してあり、両端に水平移動架台（３４１）が、ブラシ運搬用レール（３６０）に組立自在に連結し、この両端を連結軸（３４２）で連結し、回転管（３４３）と連結軸（３４２）の間に捻りコイルばね（３４４）が挿入してあり連結竿（３３７）が、回転軸位置３（３１３）の位置に関わらず水平移動架台（３４１）と一体と成った連結軸（３４２）に対して傾転したとき、捻りコイルばね（３４４）が巻き込まれる又は巻きもどすように設置してあり、連結軸（３４２）に対して傾転自在に組み込まれてあり、水平移動架台（３４１）の一端は、図６に示す駆動モータ２（３４６）下方に連結されてブラシ運搬用レール（３６０）の移動方向に移動可能に設置してある。
【００１５】
図７にしめす傾転竿（３４７）は、回転管（３４３）と一体に形成し他端を、連結竿駆動軸位置３（３２３）で駆動モータ１（３４５）の駆動軸に傾転自在に軸着してある。
【００１６】
図７にしめすブラシ運搬用レール（３６０）は、装置架台（３００）と便器（３５０）にたいして、移動自在に設置してあり、回転ブラシ（３３１）には、外周の一部に向かってオゾン水出口（３４０）からオゾン水を吹き掛けてブラシを洗浄し、ブラシに含まれたオゾン水で回転ブラシ（３３１）の毛表面に付着した排泄物に含まれる大腸菌等の殺菌や排泄物の脱臭を行い、ブラシの毛に含んだ水分とブラシの毛で被介護人の人体を、洗浄、清掃する事により使用水量を人体に直接洗浄するシャワーと比べて少量にし直接オゾン水が、吹き掛け直後に直接人体に触れないようにしている。オゾン水の供給管は、回転管（３４３）と連結軸（３４２）の間を通しモータコードとオゾン水用ホース（３３９）で示した箇所を通り、オゾン発生器へと連なっている。又、回転モータ（３３２）の電線は、連結竿（３３７）の内部にあるモータコード孔（３３８）を通りオゾン水用ホース（３３９）に達しその後、電気、電子系制御箱に連なっている。
【００１７】
図１にしめすベッド（２００）の上には便座（２０１）が設置してあり便座には、被介護者（１００）が寝たまま用便出来るように、被介護者腰骨部（１０２）を便座に対して位置決め出来る腰当（２０２）が設置してあり、床ずれを防止しつつ、便座（２０１）に対して被介護者肛門（１０１）を位置決めしてる。
【００１８】
図１にしめす便座（２０１）の下には、便器（３５０）が設置してあり、その下に排泄物容器（４００）がベッド設置の床面に設置してあり、便器（３５０）は、装置架台（３００）に固定一体としてベッド設置の床面に設置し、オゾン水の原料の水を供給する水タンク（５００）を隣接して収納している。
【００１９】
図１にある回転軸位置１(３０１)は、操作前の図７にしめす回転ブラシ（３３１）の設置原点位置を示し、図２に示すごとく、駆動モータ２（３４５）と駆動モータ１（３４６）により、連結竿駆動軸位置１（３２１）を動かし図７に示す連結竿(３３７)を傾転させつつ、駆動モータ１（３４６）を動かして回転軸位置１(３１１)を回転ブラシ（３３１）の中心位置まで移動させることにより、回転軸位置１(３０１)は、回転軸位置２(３０２)に移動する、このとき布団持ち上げ装置(３５１)は、布団持ち上げ装置上昇位置(３５２)となり、被介護者（１００）の被介護者肛門（１０１）から膝部付近に用便後の洗浄及び清掃空間を作りせしめる。
【００２０】
図３にしめすごとくブラシ回転体位置２（３０２）は、駆動モータ２（３４５）と駆動モータ１（３４６）を相対的に又は単独に動かす事により、ブラシ回転体位置３（３０３）となりさらに、ブラシ回転体位置４（３０４）へと、回転軸位置３（３１３）と連結竿駆動軸位置３（３２３）を各々動かすことにより位置を自由に決めて移動させることが出来る。
【００２１】
図４のブラシ回転体位置５（３０５）は、ブラシ回転体位置４（３０４）から、移動して来たもので、回転軸位置５（３１５）と連結竿駆動軸位置５（３２５）の時の図７にしめす回転ブラシ（３３１）の位置を示しブラシ回転体位置６（３０６）へと前記同様に駆動モータ２（３４５）と駆動モータ１（３４６）を相対的に又は単独に動かす事により、により回転ブラシ（３３１）を動かすことが出来る。
【００２２】
図５も同様に、ブラシ回転体位置７（３０７）は、ブラシ回転体位置６（３０６）から、移動して来たもので、回転軸位置７（３１７）と連結竿駆動軸位置７（３２７）の時の図７にしめす回転ブラシ（３３１）の位置を示しブラシ回転体位置１（３０１）へと前記同様に駆動モータ２（３４５）と駆動モータ１（３４６）で同様に動かすことで図２に示す待機位置にもどすことが出来る。本発明の主体は機械構造の実装方法にあるので、電気、電子、オゾン系の説明は省略する。
【００２３】
図１にしめすベッド（２００）に、仰向きに寝た被介護者（１００）が用便後被介護者肛門（１０１）近傍の洗浄は、図７の回転ブラシ（３３１）を回転させて、オゾン水出口（３４０）からオゾン水を吹き掛けてブラシを洗浄し布団持ち上げ装置(３５１)で、布団持ち上げて図３に示す 回転軸位置３（３１３）の位置で、被介護者（１００）に回転ブラシ（３３１）が接すると捻りコイルばね（３４４）に捻り力が付与された状態で、被介護者肛門（１０１）を回転しながら洗浄し、元のブラシ回転体位置１（３０１）の位置に回転ブラシ（３３１）を戻し終了する事により、介護者の作業や目視が無くても、ベッドの被覆上布団等の人体側内部で、肛門近傍に強固に箇まり付いた排便の洗浄と清掃をすることが出来る。
【産業上の利用可能性】
【００２４】
リモコン操作スイッチを用いて容易に洗浄と清掃の操作ができ、介護人に気を遣わず自分でも出来る。肛門近傍に強固に箇まり付いた排便は、洗浄が困難で介護者の作業と目視確認が必要であるという欠点があったが、回転ブラシ（３３１）で簡単に操作して洗浄と清掃することによって、介護人の負担を減らし病院や家庭での介護の簡便さを計り、重度の障害者の操作者による操作も可能で健康人にも適用できる。
【図面の簡単な説明】
【００２５】
【図１】用便後処理装置付き介護ベッドの１実施例を示した全体説明図である。（実施例１）
【図２】用便後処理装置付き介護ベッドの１実施例の駆動系を示した説明図である。（実施例１の位置１）
【図３】用便後処理装置付き介護ベッドの１実施例の駆動系を示した説明図である。（実施例１の位置２）
【図４】用便後処理装置付き介護ベッドの１実施例の駆動系を示した説明図である。（実施例１の位置３）
【図５】用便後処理装置付き介護ベッドの１実施例の駆動系を示した説明図である。（実施例１の位置４）
【図６】用便後処理装置付き介護ベッドの１実施例の駆動系を示した側面説明図である。（実施例１の位置３）
【図７】ブラシ回転体実施例の説明図である。
【符号の説明】
【００２６】
１００    被介護者
１０１    被介護者肛門
１０２    被介護者腰骨部
２００    ベッド
２０１    便座
２０２    腰当
３００    装置架台
３０１    ブラシ回転体位置１
３０２    ブラシ回転体位置２
３０３    ブラシ回転体位置３
３０４    ブラシ回転体位置４
３０５    ブラシ回転体位置５
３０６    ブラシ回転体位置６
３０７    ブラシ回転体位置７
３１１    回転軸位置１
３１３    回転軸位置３
３１５    回転軸位置５
３１７    回転軸位置７
３２１    連結竿駆動軸位置１
３２３    連結竿駆動軸位置３
３２５    連結竿駆動軸位置５
３２７    連結竿駆動軸位置７
３３１    回転ブラシ
３３２    回転モータ
３３３    回転カバー蓋
３３４    回転カバー本体
３３５    防水軸受け
３３６    モータ台
３３７    連結竿
３３８    モータコード孔
３３９    モータコードとオゾン水用ホース
３４０    オゾン水出口
３４１    水平移動架台
３４２    連結軸
３４３    回転管
３４４    捻りコイルばね
３４５    駆動モータ１
３４６    駆動モータ２
３４７    傾転竿
３５０    便器
３５１    布団持ち上げ装置
３５２    布団持ち上げ装置上昇位置
３６０    ブラシ運搬用レール
４００    排泄物容器
５００    水タンク
【図１】
2005230411.tif 000003
【図２】
2005230411.tif 000004
【図３】
2005230411.tif 000005
【図４】
2005230411.tif 000006
【図５】
2005230411.tif 000007
【図６】
2005230411.tif 000008
【図７】
2005230411.tif 000009